(57)【要約】      （修正有）【課題】一定の厚みを備えたパネル板を始めとして、薄い装飾紙や写真等にあっても制約を受けることなく交換バリエーションが楽しめるシステムキッチンを提供する。【解決手段】少なくとも引き出しを備えたシステムキッチンにおいて、前記引き出し１７の正面部を、引き出し本体１９と一体の正面パネル部２１と、その正面パネル部２１に対して装着する中央部が大きく開口した額縁状の外側装飾パネル部２３と、前記正面パネル部２１と外側装飾パネル部２３との間に配置セットされた装飾部材２５と、前記正面パネル部２１に設けられ前記装飾部材２５を外側装飾パネル部２３側へ押圧する押圧ストロークを備えた付勢部材２７とで構成する。【選択図】図１
2007313198.tif 000002
【特許請求の範囲】
【請求項１】
前後にスライド可能な引き出し及び開閉ヒンジを支点として開閉する開閉扉とを備え、前記引き出しの正面部を、引き出し本体と一体の正面パネル部と、その正面パネル部に対して装着する中央部が大きく開口した額縁状の外側装飾パネル部と、前記正面パネル部と外側装飾パネル部との間に配置セットされた装飾部材と、前記正面パネル部に設けられ前記装飾部材を外側装飾パネル部側へ押圧する押圧ストロークを備えた付勢部材とで構成したことを特徴とするシステムキッチン。
【請求項２】
前記付勢部材は、板ばねで形成されると共に外側装飾パネル部を正面パネル部に密着させた状態で下降させた時、前記外側装飾パネル部に設けられた係止部を正面パネル部の係止受部へ押圧しながら誘導する誘導ガイドとなっていることを特徴とする請求項１記載のシステムキッチン。
【請求項３】
前記開閉扉は、開閉ヒンジを支点として開閉する扉本体パネル部と、その扉本体パネル部に対して装着する中央部が大きく開口した額縁状の外側装飾パネル部と、前記扉本体パネル部と外側装飾パネル部との間に配置セットされた装飾部材と、前記扉本体パネル部に設けられ前記装飾部材を外側装飾パネル部側へ押圧する押圧ストロークを備えた付勢部材とで構成されていることを特徴とするシステムキッチン。
【請求項４】
少なくとも前記開閉扉の外側装飾パネル部は、前記扉本体パネル部に対して固定及び固定解除可能なロック装置の外に、前記扉本体パネル部の上端縁と上方から嵌合し合う上端縁嵌合フランジ部を備えていることを特徴とする請求項３記載のシステムキッチン。
【請求項５】
前記開閉扉及び引き出しに対する外側装着パネル部は、着脱自在に装着又はヒンジを支点として回動自在に装着されていることを特徴とする請求項１又は３のいずれかに記載のシステムキッチン。
【発明の詳細な説明】
【技術分野】
【０００１】
本発明は、引き出しや開閉扉を備えたシステムキッチンに関する。
【背景技術】
【０００２】
従来、システムキッチンにおいて、その表面は見栄え等の面から化粧パネル面となっていて、一般には取り替えのきかない固定タイプとなっている。
【０００３】
しかしながら、近年はパネルの交換が容易に行なえるものが提案されており、その概要は、システムキッチン等において支柱と支柱の間のパネルをパネル支持用クリップを用いて容易に取り換えることが可能な構造となっている。
【特許文献１】特開２００４−２２２９２９号公報
【発明の開示】
【発明が解決しようとする課題】
【０００４】
パネルの交換は、専用のパネル支持用クリップを用いているところから、パネルの交換時、板厚が同一のパネルであることが条件となり、交換にあたって制約を受ける。
【０００５】
そこで、本発明にあっては一定の板厚を備えた化粧用のパネル板を始めとして装飾紙や写真等にあっても制約を受けることなく交換が行なえるシステムキッチンを提供することを目的としている。
【課題を解決するための手段】
【０００６】
前記目的を達成するために、第１の本発明にあっては、前後にスライド可能な引き出し及び開閉ヒンジを支点として開閉する開閉扉とを備え、前記引き出しの正面部を、引き出し本体と一体の正面パネル部と、その正面パネル部に対して装着する中央部が大きく開口した額縁状の外側装飾パネル部と、前記正面パネル部と外側装飾パネル部との間に配置セットされた装飾部材と、前記正面パネル部に設けられ前記装飾部材を外側装飾パネル部側へ押圧する押圧ストロークを備えた付勢部材とで構成したことを特徴とする。
【０００７】
第２の発明にあっては、前記開閉扉を、開閉ヒンジを支点として開閉する扉本体パネル部と、その扉本体パネル部に対して装着する中央部が大きく開口した額縁状の外側装飾パネル部と、前記扉本体パネル部と外側装着パネル部との間に配置セットされた装飾部材と、前記扉本体パネル部に設けられ前記装飾部材を外側装飾部側へ押圧する押圧ストロークを備えた付勢部材とで構成したことを特徴とする。
【発明の効果】
【０００８】
本発明のシステムキッチンによれば、額縁状の外側装飾パネル部を正面パネル部を外し、その内側の装飾部材を新たなものとに交換した後、再度、外側装飾パネル部を装着することで、引き出しの正面パネル又は開閉扉の正面パネルを好みのものに新しく模様替えできる。この時、装飾部材は付勢部材によってガタ付くことのない正しくセットされた付勢力が与えられるため、装飾部材の適用範囲が拡がり、板厚の厚いパネル板を始めとして薄い装飾紙や好きな動物及び景色を写した写真にまで拡大することが可能となる。この結果、例えば、前後左右の各引き出し全部に写真を用いることでシステムキッチン全体を見た時に例えば、１つの完成した景色等が得られる等、それぞれ独立して、又は組合せた交換バリエーションを楽しむことができる。
【発明を実施するための最良の形態】
【０００９】
本発明にあっては、第１に前記付勢部材を、板ばねで形成されると共に外側装飾パネル部を正面パネル部に密着させた状態で下降させた時、前記外側装飾パネル部に設けられた係止部を正面パネル部に設けられた係止受部へ押圧しながら誘導する誘導ガイドとすることで、外側装飾パネル部を正面パネル部に対して確実迅速に取り付けられるようにする。
【００１０】
第２に、少なくとも前記開閉扉の外側装飾パネル部を、前記本体パネル部に対して固定及び固定解除可能なロック装置の外に、前記扉本体パネル部の上端縁と上方から嵌合し合う上端縁嵌合フランジ部を備え、前記上端縁嵌合フランジ部によって、万一ロック装置のロック忘れがあっても落下をなくし、安全を確保する。
【００１１】
第３に、前記開閉扉及び引き出しに対する外側装飾パネル部を、着脱自在に装着又はヒンジを支点として回動自在に装着する構成とし、着脱タイプの場合には外側装飾パネル部を装飾部材とマッチした化粧パネルにすることができるようにする一方、回動タイプの場合には、装飾部材の交換作業が迅速、容易に行なえるようにする。
【実施例】
【００１２】
以下、図１乃至図１６を図面を参照しながら本発明の実施形態について具体的に説明する。
【００１３】
図１４はシステムキッチンの全体説明図を示している。
【００１４】
システムキッチン１は、上方のキャビネット３と下方のコンロ部５、調理部７、流し台９から成り、キャビネット３の開閉扉１３は後述する上下の開閉ヒンジ１５を支点として開閉可能となっている。
【００１５】
コンロ部５、調理部７、流し台９の下方収納部は引き出し１７となっている。この実施形態では、全部が大小の引き出し１７となっているが、ヒンジタイプの開閉扉と組合わされる場合もある。
【００１６】
引き出し１７は正面部の大きさが異なるが、構造はすべて同一のため、代表例として調理部７の下方の引き出し１７について説明する。
【００１７】
引き出し１７は、図１から図５に示すように上方が開放された箱状に形成され、左右のガイドレール（図示していない）に支持されて一杯に引き出された使用位置と後退した収納位置とにスライド自在に支持されている。
【００１８】
引き出し１７の正面部は、引き出し本体１９と一体の正面パネル部２１と、その正面パネル部２１に対して着脱自在に装着する中央部が大きく開口２３ａした額縁状の外側装飾パネル部２３と、前記正面パネル部２１と外側装飾パネル部２３との間に配置セットされた装飾部材２５と、前記正面パネル部２１に設けられ、前記装飾部材２５を外側装飾パネル部２３側へ押圧する押圧ストロークを備えた付勢部材となる板ばね２７とで構成されている。
【００１９】
引き出し本体１９と一体の正面パネル部２１の両サイドには前記した付勢部材となる板ばね２７，２７が、上端部には幅方向に長い取手部２９がそれぞれ設けられている。
【００２０】
取手部２９は正面パネル部２１の上端から前方へ短く突出した後、下向きに屈曲された形状となっていて、下から取手部２９に手をかける正面パネル部２１と一体形状となっている。
【００２１】
板ばね２７は、前記装飾部材２５を外側装飾パネル部２３側へ押圧する押圧ストロークを備えると共に、図５に示すように屈曲部２７ａが上方に位置するよう２つに屈曲され、屈曲された一方の固定側２７ｂと他方の押圧作用側２７ｃの間が押圧ストロークｄとなっている。屈曲された一方の固定側２７ｂは正面パネル部２１ａから立上がる両サイドの立上り壁３１に取付けブラケット３３を介して固定支持されている。他方の押圧作用側２７ｃは屈曲部２７ａから下方へ向かって正面パネル部２１へ向かって傾斜する自由端となっていて、前記外側装飾パネル部２３に設けられた係止部３５を正面パネル部２１に設けられた係止受部３７へ向けて押圧誘導する誘導ガイドとなっている。この時、板ばね２７の屈曲部２７ａは、外側装飾パネル部２３を正面パネル部２１に密着させて下降させた時に、係止部３５を内側へ案内する分岐点として作用し、係止受部３７への円滑な押圧誘導が確保されるようになっている。
【００２２】
係止受部３７は、図５に示すように、正面パネル部２１から立上がる立上り壁３１に前記板ばね２７の屈曲部２７ａと対向するように切欠いた切欠き凹部によって形成されている。切欠き凹部の下端縁３７ａは係止部３５を位置決めするストッパーとなっている。したがって、係止受部３７に支持された係止部３５は、下方向へは前記ストッパーとなる下端縁３７ａによって、外れ方向となる外側（図面左方）へは前記板ばね２７によってそれぞれ動きが拘束された固定支持状態が確実に確保される。
【００２３】
外側装飾パネル部２３は、中央部が大きく開口した額縁状に形成されていて、内側外周には周縁フランジ３９を有している。周縁フランジ３９は前記正面パネル部２１から立上がる上下左右の立上り壁３１を外側かる覆うことで見栄えの向上を図っている。
【００２４】
外側装飾パネル部２３の左右周縁フランジ３９，３９には前記したピン状の係止部３５が設けられ、前記係止受部３７に対して係脱可能となっている。
【００２５】
装飾部材２５は、外側装飾パネル部２３の開口２３ａに沿って設けられた位置決め枠４０内にセットされ、正面パネル部２１に設けられた押え枠４２によって裏側から押えられている。
【００２６】
また、装飾部材２５は、板厚や材質は問わない。例えば、パネル板、装飾紙、写真等いずれにあっても可能である。パネル板の場合には、パネル表面の色の異なる、例えば、模様替えしたい好みの白とか緑等のパネル板が用意される。
【００２７】
装飾紙の場合には、色の外に模様等が入ったものが用意されると共に、例えば、裏・表で使用できるようにすることが望ましい。
【００２８】
写真にあっては、好みの動物とか景色を写したものが用意されるようになる。この場合、装飾紙や写真の場合には、一枚、一枚が独立したものではなく、例えば、一枚、一枚が景色の一部分であって、それら全部を各引き出しにセットし全体を見渡した時に完成された一つの景色となるようにすることが望ましい。
【００２９】
また、汚れに対して拭けるように表面処理するか、保護用の透明板によってサンドイッチ構造とすることが望ましい。
【００３０】
図８から図１２はヒンジタイプの開閉扉１３を示したものである。
【００３１】
開閉扉１３は、上下に開閉ヒンジ１５，１５を備えた扉本体パネル部４５と、その扉本体パネル部４５に対して着脱自在に装着する中央部が大きく開口した額縁状の外側装飾パネル部４７と、前記扉本体パネル部４５と外側装飾パネル部４７との間に配置セットされた装飾部材２５と、前記扉本体パネル部４５に設けられ前記装飾部材２５を外側装飾パネル部４７側へ押圧する押圧ストロークを備えた付勢部材となる板ばね４９とで構成され、前記ヒンジ１５を支点として開閉可能となっている。
【００３２】
扉本体パネル部４５の両サイドに設けられた板ばね４９は、外側装飾パネル部４７の開口４７ａに沿ってセットされる前記装飾部材２５を裏側が押圧作用する。
【００３３】
板ばね４９は、一端が固定され、他端が自由端となる帯板状の形状となっていて、押圧作用部から扉本体パネル部４５までの間ｄが押圧ストロークとなっている。
【００３４】
外側装飾パネル部４７は、中央部が大きく開口４７ａした額縁状に形成され、内側には、前記装飾部材２５を開口４７に対して正しく位置決めセットする位置決め枠４８が設けられると共に周縁フランジ５１を有している。周縁フランジ５１は、前記扉本体パネル部４５の外周縁を覆うことで見栄えの向上を図っている。
【００３５】
また、外側装飾パネル部４７には、前記扉本体パネル部４５の上端縁と上方から嵌合し合う上端縁嵌合フランジ部５３と、前記扉本体パネル部４５の下端縁に対して固定及び固定解除可能なロック装置５５を備えている。
【００３６】
上端縁嵌合フランジ部５３は、図１１に示すように外側装飾パネル部４７の上位側の周縁フランジ５１から下向きに短く屈曲延長された形状となっている。
【００３７】
ロック装置５５は、各種手段が考えられるが、ここでは構造が簡単な一実施例を示している。即ち、前記外側装飾パネル部４７の下位側の周縁フランジ５１に設けられたストライカ５７と、扉本体パネル部４５の底部に設けられたラッチ５９とから成り、ストライカ５７は操作部６１によって長孔６３の範囲内において左右（図９左右）にスライド移動が可能となっている。ラッチ５９には上方が開放された進入溝５９ａと進入溝５９ａから水平に延びる拘束溝５９ｂとによってＬ字状の形状となっている。
【００３８】
したがって、上端縁嵌合フランジ部５３を扉本体パネル部４５の上端縁に嵌合させた時、ストライカ５７とラッチ５９の進入溝５９ａとが対向し合う状態で位置決めされるから、外側装飾パネル部４７の下部側を扉本体パネル部４５に密着させた後、操作部６１によってストライカ５７を拘束溝４９ｂへ移動させることで、外側装飾パネル部４７は上下左右に動くことのない確実な取付け状態が確保される。
【００３９】
したがって、ロック装置５５が何等かの要因で外れたり、ロック操作忘れをしても上端縁嵌合フランジ部５３が扉本体パネル部４５の上端としっかり嵌合しているため、絶対に落下することはなく高い位置にある開閉扉１３に対して確実な安全が確保されるようになっている。
【００４０】
この上端縁嵌合フランジ部５３は、開閉扉１３の外側装飾パネル部４７に設けた実施形態となっているが、図６に示すように前記した引き出し１７の外側装飾パネル部２３に上端縁嵌合フランジ部５３を設けるようにしてもよい。
【００４１】
この場合、取手２９は外側装飾パネル部２３に設けられるようになっている。また、外側装飾パネル部２３を固定支持する固定支持手段は、前記した付勢部材となる板ばね２７を係止部３５と係止支部３７の付勢を兼ねた誘導ガイドを利用するようにしてもよく、別途新たに設ける手段としてもよい。
【００４２】
なお、開閉扉１３にセットする装飾部材２５は、前記引き出し１７の時に説明した装飾部材２５と同一のため同一符号を符して詳細な説明を省略する。
【００４３】
このように構成されたシステムキッチン１において、例えば、引き出し全体の正面部を模様替えするには、額縁状の外側装飾パネル部２３を正面パネル部２１から取り外し、その内側の装飾部材２５を新たなものとに交換した後、再度、外側装飾パネル部２３を正面パネル部２１へ取付けることで、図１４から図１５に示すように引き出し正面のパネル面を好みのものに模様替えできる。また、外側装飾パネル部２３を装飾部材２５とマッチした化粧パネルのものに交換することができる。
【００４４】
これらは、開閉扉１３についても同様である。一方、装飾部材２５は板ばね２７によってガタ付くことのない正しくセットされた付勢力が与えられるため、板厚に左右されることがなくなるため、装飾部材２５の適用範囲が拡がる。特に、写真を用いた場合には、引き出し全体、あるいは、引き出しと開閉扉を組合わせることで、例えば、図１６に示すように完成された一つの景色にすることができるようになり、それぞれ独立して、または組合せた交換バリエーションを楽しむことができる。
【００４５】
前記実施形態において、開閉扉１３及び引き出し１７に対する各外側装飾パネル部２３，４７の装着は着脱可能な装着タイプとなっているが、ヒンジを支点として回動する回動タイプであってもよい。
【００４６】
具体的には、引き出し１７の場合には、図７に示すように外側装飾パネル部２３の下端をヒンジ６７を介して正面パネル部２１に回動自在に支持し、自由端側となる上端を矢印のように正面パネル部２１側へ回動させることで装着できるようにするものである。
【００４７】
また、開閉扉１３の場合には、図１３に示すように外側装飾パネル部４７の上端をヒンジ６９を介して扉本体パネル部４５に回動自在に支持し、自由端となる下端を矢印のように扉本体パネル部４５側へ回動させることで装着できるようにするものである。
【００４８】
この場合の各外側装飾パネル部２３，４７の固定支持は、ビス７１によるビス止めとなっているが、例えば、一般的な係合フックと係合孔との関係によって固定及び固定解除できるようにしてもよい。
【図面の簡単な説明】
【００４９】
【図１】本発明にかかる引き出しを分解した概要斜視図。
【図２】係止部が板ばねによって係止受部に支持された状態の概要説明図。
【図３】外側装飾パネル部の一部分を裏側からみた概要斜視図。
【図４】正面パネル部と外側装飾パネル部との間に装飾部材が配置セットされた状態の概要説明図。
【図５】板ばね、係止部、係止受部の関係を示した概要説明図。
【図６】引き出し側の外側装飾パネル部に上端縁嵌合フランジ部を設けた実施形態を示す説明図。
【図７】引き出しの外側装飾パネル部をヒンジを用いた回動タイプとした実施形態を示す説明図。
【図８】開閉扉を分解した概要斜視図。
【図９】ロック装置の概要説明図。
【図１０】ロック装置のラッチ側を示した概要説明図。
【図１１】外側装飾パネル部の上端縁嵌合フランジ部を示した概要説明図。
【図１２】板ばねの取付け状態を示した説明図。
【図１３】開閉扉の外側装飾パネル部をヒンジを用いた回動タイプとした実施形態を示す説明図。
【図１４】本発明にかかるシステムキッチン全体の概要説明図。
【図１５】模様替えしたシステムキッチン全体の概要説明図。
【図１６】写真を用いて模様替えしたシステムキッチン全体の概要説明図。
【符号の説明】
【００５０】
１    システムキッチン
１３    開閉扉
１５    ヒンジ
１７    引き出し
１９    引き出し本体
２１    正面パネル部
２３，４７    外側装飾パネル部
２５    装飾部材
２７，４９    板ばね（付勢部材）
３５    係止部
３７    係止受部
４５    扉本体パネル部
５３    上端縁嵌合フランジ部
５５    ロック装置
５７    ストライカ
５９    ラッチ
【図１】
2007313198.tif 000003
【図２】
2007313198.tif 000004
【図３】
2007313198.tif 000005
【図４】
2007313198.tif 000006
【図５】
2007313198.tif 000007
【図６】
2007313198.tif 000008
【図７】
2007313198.tif 000009
【図８】
2007313198.tif 000010
【図９】
2007313198.tif 000011
【図１０】
2007313198.tif 000012
【図１１】
2007313198.tif 000013
【図１２】
2007313198.tif 000014
【図１３】
2007313198.tif 000015
【図１４】
2007313198.tif 000016
【図１５】
2007313198.tif 000017
【図１６】
2007313198.tif 000018